(57)【特許請求の範囲】
【請求項１】
支柱と、下枠と、縦枠と、パネル部と、笠木とを備えており、支柱は、上部に笠木を取り付ける上部ブラケットが固定してあり、外側の見付け面には、支柱の長手方向に伸びる縦枠係止片が設けてある側部ブラケットが固定してあると共に、側部ブラケットの下側には下部ブラケットが固定してあり、
側部ブラケットには、縦枠係止片の上側からスライドし、且つ縦枠係止片を両側から挟んで係止する被係止部を有する縦枠が取り付けてあり、
縦枠は、枠長手方向に伸びるパネル呑込み溝が両側にそれぞれ設けてあり、
下部ブラケットには、枠長手方向に延びるパネル呑込み溝が設けてある下枠を固定してあり、縦枠と下枠とから上側が開放した枠体を形成し、
枠体の内周側には、各パネル呑込み溝に保持されるかたちでパネルが取り付けてあり、笠木の下端面には、笠木長手方向に連続するパネル呑込み溝が設けてあり、パネル呑込み溝がパネルの上端部を呑込むことを特徴とする手摺。
【発明の詳細な説明】
【技術分野】
【０００１】
本発明は、階段やベランダ、フェンス、スロープ、廊下等に取り付ける手摺に関するものであり、特に支柱間にパネルを取り付ける態様の手摺に関するものである。
【背景技術】
【０００２】
縦枠の見付け幅を狭くすることにより、手摺のフェンスが連続的な外観を醸し出すことを目的とする手摺として、特開２０１０−２０９５９８号公報に開示されるものがある。この手摺の施工手順は、まず、足場の上に間隔をあけて複数の支柱を立設するとともに、笠木と下枠を取り付ける。次に、足場上の最も一側側に立設してある支柱の外側見付け面に側部ブラケットを介して縦枠を取り付け、笠木と下枠との間に、支柱の外側且つ他側側から上端部と下端部をそれぞれ上枠と下枠に保持させた状態でパネルを送り込み、縦枠までスライドさせる。そして、パネルの他側側に縦枠を横からスライドして取り付け、さらに、次のパネルを送り込み、次の縦枠を取り付ける手順を交互に繰り返すことで手摺を形成するものであった。
【先行技術文献】
【特許文献】
【０００３】
【特許文献１】特開２０１０−２０９５９８号公報
【発明の概要】
【発明が解決しようとする課題】
【０００４】
上記のように形成された手摺は、複数あるうちの間隔をあけて立設する２本の支柱のいずれかに取り付けてある縦枠に対し、パネルを上下枠のパネル呑込み溝間に差し込むと共に横方向にスライドし、上枠、縦枠、下枠の三方の各パネル呑込み溝に各々係止させる構造であった。さらに、縦枠と、その縦枠を支柱に支持する側部ブラケットとは、互いが横方向に突出した係止片同士を係止する態様であったため、縦枠と側部ブラケットの係止箇所が横方向にズレたり、また、支柱間に微細な寸法誤差があれば、パネルを次々に送り出してフェンスを形成したとき、パネルの枚数が多くなるとその寸法誤差も次第に大きくなっていく。このことから、各縦枠と、各縦枠のパネル呑込み溝に呑み込まれるパネルとの隙間が不均等になってしまい、パネルが縦枠のいずれか一方に寄ったときには、パネルのガタツキによる振動音の問題や、パネルの破損、枠体からのパネルの離脱等の懸念がある。さらに、支柱の外部側から倹鈍式によって１枚ずつパネルを横からスライドして取り付けていくものであるから、施工後にいずれかのパネルを交換する場合には、枠体が横方向に係止することで全てのパネルを枠体から取り外さなければならず、さらに、支柱外部からのパネルの取り付けは、作業者の足場等、危険を伴うものであった。
【０００５】
本発明は上記課題を鑑みてなされたものであり、施工が容易且つ安全であり、しかも、パネルを枠体で確実に支持できる手摺を提供することにある。
【課題を解決するための手段】
【０００６】
本発明は、支柱と、下枠と、縦枠と、パネル部と、笠木とを備えており、支柱は、上部に笠木を取り付ける上部ブラケットが固定してあり、外側の見付け面には、支柱の長手方向に伸びる縦枠係止片が設けてある側部ブラケットが固定してあると共に、側部ブラケットの下側には下部ブラケットが固定してあり、側部ブラケットには、縦枠係止片の上側からスライドし、且つ縦枠係止片を両側から挟んで係止する被係止部を有する縦枠が取り付けてあり、縦枠は、枠長手方向に伸びるパネル呑込み溝が両側にそれぞれ設けてあり、下部ブラケットには、枠長手方向に延びるパネル呑込み溝が設けてある下枠を固定してあり、縦枠と下枠とから上側が開放した枠体を形成し、枠体の内周側には、各パネル呑込み溝に保持されるかたちでパネルが取り付けてあり、笠木の下端面には、笠木長手方向に連続するパネル呑込み溝が設けてあり、パネル呑込み溝がパネルの上端部を呑込むことを特徴とする。
【発明の効果】
【０００８】
本発明によれば、支柱の外側見付け面に固定してある側部ブラケットに対し、縦枠を上方からスライドして係止及び固定してあることにより、各縦枠が支柱から横方向への移動を規制されるので、パネルと縦枠との間隔が正確に位置決めでき、これにより、パネルが枠体と適切な間隔で支持されるので、パネルの支持が確実になされた手摺を提供できる。また、縦枠が上下にスライド可能な状態でブラケットに取り付けてあることから、手摺の中間位置に取り付けてあるパネルであっても、そのパネルだけを取り出して交換することができるので、メンテナンスが容易である。
【図面の簡単な説明】
【００１０】
【図１】（ａ）〜（ｆ）は、本実施による手摺の施工手順を示す簡略化した正面図である。
【図２】（ａ）は、２枚目のパネルの取付手順を示す簡略化した正面図であり、（ｂ）は、施工完成後の手摺を示す簡略化した正面図であり、（ｃ）は、施工後に、任意のパネルを取り外すときの状態を示す簡略化した正面図である。
【図３】図１（ａ）〜（ｆ）に示す、本実施による施工手順を経て形成される手摺の縦断面図である。
【図４】（ａ）は、図３（ｂ）中Ａを拡大して示す横断面図であり、（ｂ）は、図２を横断面して示す手摺の全体図である。
【発明を実施するための形態】
【００１１】
以下、本発明の手摺について、バルコニー手摺に適用した実施形態を図面に基づいて説明する。
【００１２】
本実施による手摺は、図３のように、コンクリート足場（足場）１０上部の外側端部に設置するものであり、支柱１と、枠体２，３と、パネル４と、笠木８とから構成してある。支柱１は、中空押出形材で形成してあり、その下端にはアンカーボルト９が垂直に取り付けてある。また、アンカーボルト９を支柱１下端の一部とともにコンクリート足場１０に埋設することにより支柱１を強固に支持しており、さらに、コンクリート足場１０の外側端部上面に沿って間隔をあけた複数箇所に起立してある。また、支柱１のコンクリート足場１０外側見付け面１ａには、図４（ａ）（ｂ）のように、支柱１の長手方向に沿って配置してあり、且つ外側見付け面１ａへの支柱固定片５ｂと、支柱固定片５ｂから外側に向けて突出する縦枠係止片５ａとから横断面ほぼＴ字状をなす側部ブラケット５と、その側部ブラケット５の下方に位置し、支柱１外側見付け面１ａの外側に向けてほぼ水平に突出した受片を有する下部ブラケット１５が、それぞれネジ１１で固定してある。さらに、枠体２，３は、左右の縦枠２，２と下枠３とから上向きコ字型に枠組みしたものであり、枠組みした内周側には、両側の縦枠２，２と下枠３にそれぞれ設けてある断面ほぼ凹状をなすパネル呑込み溝１２ａ，１２ｂが枠内周側の三方に渡り連続して形成される（図１（ａ）〜（ｆ）参照）。また、縦枠２，２は、平面視したときに、左右両側にパネル呑込み溝１２ａ，１２ａを有する対称形状をなしており、さらに、枠体２，３の両側の縦枠２，２は、図４（ａ）（ｂ）のように、内側に向けて突出する持出し部２ａを有し、この持出し部（被係止部）２ａは、溝部７を有する横断面ほぼＵ字状をなしており、各支柱１に支柱固定片５ｂを沿わせてネジ１１で固定してある側部ブラケット５の縦枠係止片５ａに対し、そのＵ字の溝部７を上方から差し込んで下方に垂直にスライドすると共に、持出し部２ａの側方からネジ１１を挿通して持出し部２ａと支柱固定片５ｂとを固定してある。これにより、縦枠２が側部ブラケット５から左右方向の移動を規制された状態で固定する。また、下枠３は、図３を参照すれば、下部ブラケット１５の上面に載置してあり、下枠３と下部ブラケット１５との固定は支持材１８を介してネジ１１で固定してある。笠木８は、横長ほぼ矩形状をなす中空押出形材であり、下端面のやや外側寄りの位置には、下向きのパネル呑込み溝１２ｃが設けてあり、そのパネル呑込み溝１２ｃから内側部分については、ほぼ水平な支柱１との被取付面１３を有している。
次に、笠木８と支柱１およびパネル４との取付構造について説明すると、まず、笠木８は、手摺を構成するすべての各縦枠２と下枠３により、それぞれパネル４が保持された後に、一括して取り付けるものである。ここで図３を参照すれば、まず支柱１側では、その支柱１の上端部に、ほぼ水平な板状の上部ブラケット６が外側に向けて張り出した状態でネジ１１により取り付けてある。次にパネル４は、枠体２，３のパネル呑込み溝１２ａ，１２ｂに差し入れたときに、パネル４の上端部のみが枠体２，３から露出した状態となる。そして、パネル４の上端部を笠木８のパネル呑込み溝１２ｃに差し入れるとともに、上部ブラケット６に沿わせ、その上部ブラケット６の下端面側から笠木８の被取付面１３にネジ１１で固定することにより、笠木８と支柱１およびパネル４とを固定する。また、パネル４と枠体２，３および笠木８と各々のパネル呑込み溝１２ａ〜１２ｃとの間にはシール材１４を挟めて緩衝してあり、支柱１から枠体２，３を介して伝わる風圧や振動がパネル４に伝わるのを和らげる構造となっている。
【００１３】
次に、本手摺の施工手順を以下に説明する。
第１の手順として、図１（ａ）にように、コンクリート足場１０にアンカーボルト９を埋設して支柱１を起立し、支柱１の外側見付け面１ａ下位置に下部ブラケット１５を介して下枠３を取り付ける。
第２の手順として、図１（ｂ）のように、支柱１の上端面に上部ブラケット６を固定する。
第３の手順として、図１（ｃ）のように、足場１０の一番端に起立する支柱１において、支柱１の外側見付け面１ａに側部ブラケット５の支柱固定片５ａ（図４（ａ）参照）をネジ１１で固定し、その側部ブラケット５の縦枠係止片５ａ（図４（ａ）参照）に対し、上方から縦枠２をスライドして縦枠２下端を下枠３に当接する。これにより、下枠３と一番端に固定した縦枠２とから上方と他側側が開放するＬ字状に枠組みした枠体２，３を形成する。ここで、側部ブラケット５は、立設する支柱１外側見付け面１ａのすべてに固定する。
第４の手順として、図１（ｄ）のように、上方と他側側の二方が開放した枠体２，３の斜め上側からパネル４を差し込み、一側側の縦枠２と下枠３のそれぞれのパネル呑込み溝１２ｂ，１２ｂに対してパネル４の一側端と下端コーナー部をそれぞれ呑込ませる。
第５の手順として、図１（ｅ）のように、既に縦枠２が取り付けてある支柱１の他側側に立設する支柱１の側部ブラケット５縦枠係止片５ａ（図４（ａ）参照）に縦枠２を上方から差し入れ、そのときに、縦枠２の一側側のパネル呑込み溝１２ａをパネル４の他側端部に呑込ませながら下方にスライドしていく。その縦枠２の他側側のパネル呑込み溝１２ａに、別のパネル４を斜め上側から差し込み、下枠３のパネル呑込み溝１２ｂとで別のパネル４の一側端部と下端部の二辺を保持させる。図２（ａ）のように、さらに隣に立設する支柱１の側部ブラケット５の縦枠係止片５ａ（図４（ａ）参照）に対し、両側にパネル呑込み溝１２ａを有する縦枠２を上方からスライドし、その他側側のパネル呑込み溝１２ａで別のパネル４の他側端部を呑込んで保持する。これを隣の支柱１へと次々に移行し、足場１０上に立設するすべての支柱１に対して繰り返し行う。そして、下枠３と両側の縦枠２，２のそれぞれのパネル呑込み溝１２ａ，１２ａ，１２ｂにシール材１４（図３参照）をそれぞれ挿入し、すべてのパネル４と枠体２，３とを緩衝させる。
第６の手順として、図１（ｆ）のように、上部ブラケット６に笠木８を沿わせると共に、笠木８のパネル呑込み溝１２ｃに枠体２，３から露出したパネル４の上端部を挿入し、さらに、パネル呑込み溝１２ｃにシール材１４（図３参照）を挿入してパネル４と笠木８を緩衝することにより、図２（ｂ）のように、足場１０上の一側側から他側側に連続する手摺が形成される。
【００１４】
上記の手順を経ることにより、枠体２，３の内周側に有するパネル呑込み溝１２ａ，１２ｂにパネル４が取り付けられた手摺が形成される。このように枠体２，３を、二方を開放するＬ字状に枠組みすることにより、パネル４を斜め上から差し入れて下枠３のパネル呑込み溝１２ｂに落とし込み、その位置から下枠３のパネル呑込み溝１２ｂに沿って縦枠２側に摺動させる操作を行うだけでパネルを枠体２，３に取り付けることができる。これにより、縦枠２，２の見付け幅を狭くして外観意匠を重視するものであっても、支柱１間の間隔に影響されることなく、パネル４を枠体２，３のパネル呑込み溝１２ａ，１２ｂ，１２ｃに保持する状態で取り付けできる。しかも、パネル４を上方から枠体２，３に差し入れることができるので、バルコニー外側（コンクリート足場１０外側）からのパネル４の取り付けを想定した高所作業車やゴンドラ等の大掛かりな設備を要せず、また、コンクリート足場１０内側からのパネル４の取り付けが可能となることで施工時の安全性を確保できる。そして、施工後にいずれかのパネル４を取り替える場合でも、図２（ｃ）のように、笠木８を取り外した後に縦枠２とパネル４の間のシール材１４を抜き出すことにより、パネル４を両側の縦枠２，２のパネル呑込み溝１２ａ，１２ａに沿って上方に持ち上げれば簡単に取り外すことができ、さらに、前述したような取り外すときの手順とは反対に、新たなパネル４を古いパネル４を抜き出した後の縦枠２，２間に差し入れれば、手摺は元の状態となる。
【００１５】
本発明では、縦枠２の被係止部２ａの形状をＵ字状とし、そのＵ字の溝部７により側部ブラケット５の縦枠係止片５ｂを挟むかたちとしているが、被係止部２ａは、縦枠係止片５ａの上方から下方に向けて垂直にスライドできるとともに、縦枠係止片５ａの両側に配置して縦枠係止片５ａを挟む位置関係となるものであれば、その形状を限定するものではない。また、パネル４について上記各実施形態ではガラス製パネルを使用しているが、その他、樹脂性パネルや木製パネル等であってもよい。また、本発明による手摺は、上記実施形態ではバルコニーに適用したものについて説明しているが、通路やスロープ、階段、間仕切り等、その適用範囲を限定するものではない。
【符号の説明】
【００１６】
１  支柱
２  縦枠（枠体）
２ａ  持出し部（被係止部）
３  下枠（枠体）
４  パネル
５  側部ブラケット
５ａ  縦枠係止片
６  上部ブラケット
８  笠木
１０  コンクリート足場（足場）
１２ａ〜１２ｃ  パネル呑込み溝
１５  下部ブラケット
１ａ  外側見付け面
【図１】
0005517210.tif 000002
【図２】
0005517210.tif 000003
【図３】
0005517210.tif 000004
【図４】
0005517210.tif 000005